(57)【要約】  本開示は、電極と増幅部とを同一基板に設けるとき、電極形成プロセスでの静電破壊を抑制することができるようにする半導体装置、および電位測定装置に関する。検体を投入する液体に接する電位を読み出す読出電極により読み出された信号を増幅する増幅トランジスタの前段にカソードを接続し、アノードを接地するダイオードを設けるようにする。このような構成により、電極形成プロセスにおいて電極と増幅トランジスタとの間に発生する負電荷をダイオードからバイパスさせて接地方向に排出することで、静電破壊を抑制する。生体電位測定装置に適用することができる。
2018101075.tif 000002
【特許請求の範囲】
【請求項１】
液体に基準電位を供給する基準電位発生部および基準電位電極と、
前記液体から信号を読み出す読出電極および増幅器と、
前記増幅器の前段において、前記増幅器を負電荷より保護する保護部を含み、
前記基準電位発生部および前記基準電位電極、前記読出電極および前記増幅器、並びに、前記保護部は、同一基板に内蔵される
半導体装置。
【請求項２】
前記保護部は、前記読出電極および前記基準電位電極を形成する電極形成プロセス時において、前記読出電極および前記基準電位電極に接続される配線を介して、前記増幅器に対して発生する負電荷をバイパスすることにより、前記増幅器を保護する
請求項１に記載の半導体装置。
【請求項３】
前記増幅器は、増幅トランジスタであり、
前記読出電極は、前記増幅トランジスタのゲートに接続されており、
前記保護部は、前記読出電極と前記増幅トランジスタとを接続する配線上であって、前記ゲートの前段にカソードを接続し、アノードを接地する保護ダイオードである
請求項２に記載の半導体装置。
【請求項４】
前記保護ダイオードのカソードに、アノードを接続し、カソードを所定の電源に接続する、前記保護ダイオードと同一のＩＶ（電流電圧）特性が同一の追加ダイオードからなる追加保護部をさらに含む
請求項３に記載の半導体装置。
【請求項５】
前記所定の電源の電圧は、前記基準電位よりも高電圧である
請求項４に記載の半導体装置。
【請求項６】
前記所定の電源は、前記増幅トランジスタの電源である
請求項５に記載の半導体装置。
【請求項７】
前記基準電位発生部の前段において、前記増幅器を負電荷より保護するその他の保護部をさらに含む
請求項３に記載の半導体装置。
【請求項８】
前記その他の保護部は、前記読出電極および前記基準電位電極を形成する電極形成プロセス時において、前記基準電位電極および前記基準電位発生部に接続される配線を介して、前記基準電位発生部に対して発生する負電荷をバイパスすることにより、前記基準電位発生部を保護する
請求項７に記載の半導体装置。
【請求項９】
前記その他の保護部は、前記基準電位電極と前記基準電位発生部とを接続する配線上であって、前記基準電位発生部の前段にカソードを接続し、アノードを接地するその他の保護ダイオードである
請求項８に記載の半導体装置。
【請求項１０】
前記ダイオードのカソードに、アノードを接続し、カソードを所定の電源に接続する、前記その他の保護ダイオードと同一のＩＶ（電流電圧）特性が同一のその他の追加ダイオードからなるその他の追加保護部をさらに含む
請求項９に記載の半導体装置。
【請求項１１】
前記所定の電源の電圧は、前記基準電位よりも高電圧である
請求項１０に記載の半導体装置。
【請求項１２】
前記所定の電源は、前記増幅トランジスタの電源である
請求項１１に記載の半導体装置。
【請求項１３】
液体に基準電位を供給する基準電位発生部および基準電位電極と、
前記液体から信号を読み出す読出電極および増幅器と、
前記増幅器の前段において、前記増幅器を負電荷より保護する保護部を含み、
前記基準電位発生部および前記基準電位電極、前記読出電極および前記増幅器、並びに、前記保護部は、同一基板に内蔵される
電位測定装置。
【発明の詳細な説明】
【技術分野】
【０００１】
本開示は、半導体装置、および電位測定装置に関し、特に、製造中の静電破壊を抑制できるようにした半導体装置、および電位測定装置に関する。
【背景技術】
【０００２】
近年、神経細胞の活動電位を測定し、神経活動の医学的研究に寄与する技術が求められており、例えば、神経細胞の活動電位を測定して記録する電極装置が提案されている（特許文献１，２参照）。
【先行技術文献】
【特許文献】
【０００３】
【特許文献１】特開平０６−０７８８８９号公報
【特許文献２】特開２００２−０３１６１７号公報
【発明の概要】
【発明が解決しようとする課題】
【０００４】
上述した特許文献１，２に記載の技術においては、電極により測定された測定電位は、装置外部に設けられた増幅器（アンプリファイア）に出力され、増幅されて出力されている。【０００５】
これに対して、近年の装置の小型化の要求により、増幅器（増幅トランジスタ）を小型化して電極と同一基板内に設ける構成とすることで小型化することが検討されている。【０００６】
しかしながら、増幅器を小型化すると入力容量も小さくなるので、製造中の静電破壊が懸念される。【０００７】
本開示は、このような状況に鑑みてなされたものであり、特に、電位測定装置における測定電位に係る増幅器の小型化に起因する製造中の静電破壊を抑制するものである。
【課題を解決するための手段】
【０００８】
本開示の一側面の半導体装置は、液体に基準電位を供給する基準電位発生部および基準電位電極と、前記液体から信号を読み出す読出電極および増幅器と、前記増幅器の前段において、前記増幅器を負電荷より保護する保護部を含み、前記基準電位発生部および前記基準電位電極、前記読出電極および前記増幅器、並びに、前記保護部は、同一基板に内蔵される半導体装置である。【０００９】
前記保護部には、前記読出電極および前記基準電位電極を形成する電極形成プロセス時において、前記読出電極および前記基準電位電極に接続される配線を介して、前記増幅器に対して発生する負電荷をバイパスすることにより、前記増幅器を保護させるようにすることができる。【００１０】
前記増幅器には、増幅トランジスタとすることができ、前記読出電極は、前記増幅トランジスタのゲートに接続されるようにすることができ、前記保護部は、前記読出電極と前記増幅トランジスタとを接続する配線上であって、前記ゲートの前段にカソードを接続し、アノードを接地する保護ダイオードとすることができる。【００１１】
前記保護ダイオードのカソードに、アノードを接続し、カソードを所定の電源に接続する、前記保護ダイオードと同一のＩＶ（電流電圧）特性が同一の追加ダイオードからなる追加保護部をさらに含ませるようにすることができる。【００１２】
前記所定の電源の電圧は、前記基準電位よりも高電圧とすることができる。【００１３】
前記所定の電源は、前記増幅トランジスタの電源であるとすることができる。【００１４】
前記基準電位発生部の前段において、前記増幅器を負電荷より保護するその他の保護部をさらに含ませるようにすることができる。【００１５】
前記その他の保護部には、前記読出電極および前記基準電位電極を形成する電極形成プロセス時において、前記基準電位電極および前記基準電位発生部に接続される配線を介して、前記基準電位発生部に対して発生する負電荷をバイパスすることにより、前記基準電位発生部を保護させるようにすることができる。【００１６】
前記その他の保護部は、前記基準電位電極と前記基準電位発生部とを接続する配線上であって、前記基準電位発生部の前段にカソードを接続し、アノードを接地するその他の保護ダイオードとすることができる。【００１７】
前記ダイオードのカソードに、アノードを接続し、カソードを所定の電源に接続する、前記その他の保護ダイオードと同一のＩＶ（電流電圧）特性が同一のその他の追加ダイオードからなるその他の追加保護部をさらに含ませるようにすることができる。【００１８】
前記所定の電源の電圧は、前記基準電位よりも高電圧とすることができる。【００１９】
前記所定の電源は、前記増幅トランジスタの電源とすることができる。【００２０】
本開示の一側面の電位測定装置は、液体に基準電位を供給する基準電位発生部および基準電位電極と、前記液体から信号を読み出す読出電極および増幅器と、前記増幅器の前段において、前記増幅器を負電荷より保護する保護部を含み、前記基準電位発生部および前記基準電位電極、前記読出電極および前記増幅器、並びに、前記保護部は、同一基板に内蔵される電位測定装置である。【００２１】
本開示の一側面においては、基準電位発生部および基準電位電極により、液体に基準電位が供給され、読出電極および増幅器により、前記液体から信号が読み出され、保護部により、前記増幅器の前段において、前記増幅器が負電荷より保護され、前記基準電位発生部および前記基準電位電極、前記読出電極および前記増幅器、並びに、前記保護部は、同一基板に内蔵される。
【発明の効果】
【００２２】
本開示の一側面によれば、電位測定装置における測定電位の増幅器の小型化に起因する製造中の静電破壊を抑制することが可能となる。
【図面の簡単な説明】
【００２３】
【図１】一般的な電位測定装置の構成例を説明する図である。
【図２】本開示の電位測定装置の構成例を説明する図である。
【図３】図２の電位測定装置の第１の保護回路の構成例を説明する図である。
【図４】図２の電位測定装置の第１の保護回路の動作を説明する図である。
【図５】図２の電位測定装置の第２の保護回路の構成例を説明する図である。
【図６】図２の電位測定装置の第２の保護回路の動作を説明する図である。
【図７】図２の電位測定装置の第３の保護回路の構成例を説明する図である。
【図８】図２の電位測定装置の第３の保護回路の動作を説明する図である。
【図９】本開示の電位測定装置の変形例を説明する図である。
【発明を実施するための形態】
【００２４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２５】
＜一般的な電位測定装置の構成例＞
本開示の電位測定装置を説明するにあたって、まず、図１を参照して、一般的な電位測定装置の構成例について説明する。図１の上段部は、電位測定装置１の概観斜視図であり、図１の中段部は、シャーレ１１および電極基板１２の上面図と対応する配線図であり、図１の下段部は、電位測定部１の側面断面の配線図である。
【００２６】
図１の上段部で示されるように、電位測定装置１は、シャーレ１１、電極基板１２、およびADC（Analog Digital Converter）１３から構成される。シャーレ１１は、モールド樹脂からなり、生理食塩水などの液体５１に満たされ、検体となる細胞が投入される。図１の中段部で示されるように、シャーレ１１の底面部に電極３１−１乃至３１−４が設けられており、測定電位を、それぞれ端子３２−１乃至３２−４を介して増幅器４１−１乃至４１−４に出力する。増幅器４２−１乃至４２−４は、電極３１−１乃至３１−４より供給される測定電位を増幅してADC１３に出力する。ADC１３は、増幅器４２−１乃至４２−４より供給されてくる増幅されたアナログ信号の測定電位をデジタル信号に変換し、後段の装置に出力する。
【００２７】
すなわち、液体５１内の検体としての細胞の活動電位の変化が電極３１−１乃至３１−４により検出されて、端子３２−１乃至３２−４、および増幅器４１−１乃至４１−４を介して、ADC１３に出力されて、デジタル信号として出力される。
【００２８】
尚、電極３１−１乃至３１−４、端子３２−１乃至３２−４、および増幅器４１−１乃至４１−４は、それぞれ特に区別する必要がない場合、単に、電極３１、端子３２および増幅器４１と称するものとし、その他の構成についても同様に称するものとする。
【００２９】
また、図１の下段部で示されるように、電極３１−１，３１−２は、それぞれ、例えば、メッキ部６１−１，６１−２、および端子６２−１，６２−２から構成され、端子６２−１，６２−２に対して、メッキ処理されて、メッキ部６１−１，６１−２が付加されており、液体５１には、メッキ部６１−１，６１−２が接触した状態となっている。尚、図示しないが電極３１−３，３１−４も同様である。
【００３０】
すなわち、電極３１−１が設けられた周囲の局所的な電位変化を測定する場合、電極３１−２の測定電位を端子３２−２より読み出し、平均電位を参照電位（基準電位）Vrefとして、端子３２−１を介して電極３２−１より供給される測定電位と比較することで電極３１−１近傍の局所的な電位変化を測定する。
【００３１】
しかしながら、装置の小型化の要求に応じて電極３１の直下に、すなわち、電極３１と同一の基板内に増幅器を設けることで装置構成を小型化しようとする場合、例えば、増幅器が増幅トランジスタであるとすると、増幅トランジスタの容量そのものを小型化する必要があるので、製造中に静電破壊が発生し易くなる。
【００３２】
そこで、本開示の電位測定装置は、製造中における増幅器の静電破壊を抑制するようにしたものである。
【００３３】
＜本開示の電位測定装置の上面の構成例＞
図２を参照して、本開示の半導体装置である電位測定装置の構成例について説明する。尚、図２は、電位測定装置１０１の基板１１０の構成を示したものであり、図１の中段部における電極基板１２の上面図に対応する構成を示している。
【００３４】
図２の電位測定装置１０１は、電極１１１−１乃至１１１−４，１１１−１１、増幅器１１２−１乃至１１２−４、スイッチ１１３−１乃至１１３−４、垂直転送線１１４−１，１１４−２、転送制御部１１５、出力部１１６、端子１１７−１乃至１１７−４、端子１１８−１，１１８−２、および基準電位発生部１１９を備えている。
【００３５】
電極１１１−１乃至１１１−４，１１１−１１は、モールド樹脂からなるシャーレ１１内に設けられており、このうち、電極１１１−１乃至１１１−４は、電極３１−１乃至３１−４に対応するものである。電極１１１−１乃至１１１−４は、モールド樹脂からなるシャーレ１１内の液体１３１（図３）に接触し、それぞれ液体１３１における検体の活動電位を測定して増幅器１１２−１乃至１１２−４に伝達する。また、電極１１１−１１は、基準電位発生部１１９により発生される基準電位を液体１３１に供給する。
【００３６】
増幅器１１２−１乃至１１２−４は、電極１１１−１乃至１１１−４と同一基板内の直下に設けられており、それぞれ電極１１１−１乃至１１１−４により検出される電圧を増幅して、スイッチ１１３−１乃至１１３−４に出力する。
【００３７】
スイッチ１１３−１，１１３−２は、転送制御部１１５によりオンまたはオフに制御され、オンにされたとき、増幅器１１２−１，１１２−２からの出力を、垂直転送線１１４−１を介して出力部１１６に出力する。スイッチ１１３−３，１１３−４は、転送制御部１１５によりオンまたはオフに制御され、オンにされたとき、増幅器１１２−３，１１２−４からの出力を、垂直転送線１１４−２を介して出力部１１６に出力する。
【００３８】
出力部１１６は、垂直転送線１１４−１，１１４−２を介して増幅器１１２−１乃至１１２−４より供給されてくる増幅された信号をデジタル信号に変換して端子１１７−１乃至１１７−４より出力する。
【００３９】
端子１１８−１，１１８−２は、外部より供給されてくる電力等を受け付ける。
【００４０】
基準電位発生部１１９は、基準電位を発生し、電極１１１−１１より液体１３１に供給する。電極１１１−１１は、モールド樹脂からなるシャーレ１１内の液体１３１（図３）に接触し、それぞれ液体１３１に基準電位を供給する。
【００４１】
＜電位測定装置における第１の保護回路＞
次に、図３を参照して、電位測定装置１０１における増幅器１１２の保護回路の構成例について説明する。図３は、電位測定装置１０１の側面断面である。
【００４２】
電極１１１−１，１１１−１１は、それぞれ白金等によるメッキ部１５１−１，１５１−１１、および金属部１５２−１，１５２−１１より構成されている。電極１１１は、金属部１５２のみで構成されることが一般的であるが、液体１３１に接触する部位であるため、腐食等の対策のためメッキ部１５１が設けられている。
【００４３】
電極１１１−１は、信号を読み出す電極であり、増幅トランジスタからなる増幅器１１２のゲートに接続されており、液体１３１の電位を伝達する。増幅器１１２は、増幅トランジスタより構成されており、増幅トランジスタのソース-ドレインには、電源ＶＤＤが接続されており、電極１１１−１からゲートに供給される電位Ｖに応じた電圧を出力部１１６に出力する。
【００４４】
出力部１１６は、増幅器１１２からのアナログ信号からなる出力電圧をアナログデジタル変換してデジタル信号として端子１１７より出力する。
【００４５】
また、電極１１１−１１は、基準電位発生部１１９より出力される基準電位を液体１３１に印加する電極である。
【００４６】
ダイオード１７１は、基準電位発生部１１９の近傍であって、カソードが電極１１１−１１および基準電位発生部１１９に接続され、アノードが接地されて接続されている。
【００４７】
ダイオード１７１は、電極１１１−１，１１１−１１を形成する電極形成プロセス時の負電荷を基準電位発生部１１９に流れ込まないようにさせることで、製造時において、基準電位発生部１１９が静電破壊されることを抑制する。
【００４８】
ダイオード１７２は、増幅器１１２の近傍であって、カソードが電極１１１−１および増幅トランジスタのゲートに接続され、アノードが接地されて接続されている。
【００４９】
ダイオード１７２は、電極１１１−１，１１１−１１の電極形成プロセス時の負電荷をグランドにバイパスして排出させるようにすることで、増幅器１１２を構成する増幅トランジスタのゲートに流れ込まないようにさせることで、製造時において、増幅器１１２を構成する増幅トランジスタが静電破壊されることを抑制する。
【００５０】
結果として、ダイオード１７１，１７２により、電極形成プロセス時の負電荷がグランドにバイパスされることで、増幅器１１２を構成する増幅トランジスタ、および基準電位発生部１１９が、静電破壊されるのを抑制することが可能となる。
【００５１】
＜電位測定装置における第２の保護回路＞
以上においては、ダイオード１７１，１７２を、それぞれ基準電位発生部１１９および増幅器１１２を構成する増幅トランジスタのゲートの前段に設けることで、電極１１１−１，１１１−１１から電極形成プロセス時の負電荷が、基準電位発生部１１９および増幅器１１２を構成する増幅トランジスタのゲートに流れ込まないようにし、基準電位発生部１１９および増幅器１１２を構成する増幅トランジスタの静電破壊を抑制する例について説明してきた。
【００５２】
しかしながら、図３の構成の場合、図４で示されるように、基準電位発生部１１９はインピーダンスが小さいので、信号を読み出すために、基準電位発生部１１９が基準電位を発生すると、負電荷保護用回路であるダイオード１７１において、一点鎖線で示されるリーク電流Ｉｂが発生し、基準電位発生部１１９へと流れ込み、液体１３１による外部抵抗ｒによって基準電位からの電位差が生じ、増幅器１１２を構成する増幅トランジスタのゲートへの入力電位が基準電位に対してずれてしまう恐れがある。これにより、リーク電流Ｉｂや外部抵抗ｒがばらつくと、増幅器１１２のゲートへの入力電位もばらつくことになる。
【００５３】
そこで、図５で示されるように、ダイオード１７１，１７２と同一のＩＶ変換特性（電流電圧変換特性）を備えたダイオード１９１−１，１９１−２のカソードを、端子１１８を介して、基準電位よりも高い電源に接続する。そして、ダイオード１９１−１のアノードを電極１１１−１、増幅器１１２を構成する増幅トランジスタのゲート、およびダイオード１７２のカソードに接続する。また、ダイオード１９１−２のアノードを電極１１１−１１、基準電位発生部１１９、およびダイオード１７１のカソードに接続する。
【００５４】
このような構成により、特性が等しいダイオード１９１−１，１７２が直列に接続され、同様に、特性が等しいダイオード１９１−２，１７１が直列に接続されることになる。結果として、図６で示されるように、一点鎖線で示されるリーク電流Ｉａ，Ｉｂが等しいと、電極１１１−１，１１１−１１がそれぞれ略等電位となり、内部抵抗ｒにより点線で示されるリーク電流が流れない状態となるので、増幅器１１２を構成する増幅トランジスタのゲートへの入力電圧を安定させることが可能となる。
【００５５】
尚、ダイオード１７１，１７２と、ダイオード１９１−１，１９１−２とは、同一の半導体プロセスにおいて生成される構成とすることで、製造に係る工程数の増加を抑制させることが可能となる。
【００５６】
＜電位測定装置における第３の保護回路＞
以上においては、ダイオード１９１−１，１９１−２のカソードを、端子１１８を介して、基準電位よりも高い電源に接続される構成とする例について説明してきたが、同様の電圧からなる回路内部の増幅器１１２の電源VDDに接続することで、外部電源を使用しないようにしてもよい。
【００５７】
すなわち、図７で示されるように、ダイオード１９１−１，１９１−２のカソードは、端子１１８に代えて、基準電位よりも高い増幅器１１２の電源VDDに接続されている。
【００５８】
このような構成においても同様に、特性が等しいダイオード１９１−１，１７２が直列に接続され、やはり、特性が等しいダイオード１９１−２，１７１が直列に接続されることになるので、図８で示されるように、一点鎖線で示されるリーク電流Ｉａ，Ｉｂが等しいとき、電極１１１−１，１１１−２がそれぞれ略等電位となり、内部抵抗ｒにより点線で示されるリーク電流が流れない状態となるので、増幅器１１２を構成する増幅トランジスタのゲートへの入力電圧を安定させることが可能となる。
【００５９】
＜変形例＞
以上においては、図２で示されるように、同一基板に電極１１１−１乃至１１１−４，１１１−１１、および増幅器１１２−１乃至１１２−４、並びに、基準電位発生部１１９が形成される例について説明してきたが、電極１１１、増幅器１１２、および基準電位１１９が同一基板内に構成されれば、図２で示された２行×２列からなる電極１１１−１乃至１１１−４の構成以外の構成でもよく、例えば、ｎ行×ｍ列の電極構成とするようにしてもよい。また、基準電位を供給するための電極１１１−１１についても、１個以上であってもよい。
【００６０】
また、図９の上部で示されるように、アレイ状に構成された３行×３列の黒色の電極からなる電極群１１１−３１と、それぞれに接続された増幅器群１１２−３１とが構成され、これらがマルチプレクサ（Ｍｕｘ）２７１に接続されるようにし、マルチプレクサ２７１により出力信号を時分割出力する構成としてもよい。
【００６１】
さらに、図９の中央部で示されるように、アレイ状に構成された３行×３行の電極からなる電極群１１１−４１が転送制御部１１５により３行の行単位で制御され、３列の垂直転送線１１４−１１乃至１１４−１３に転送されて、垂直転送線１１４−１１乃至１１４−１３のそれぞれに設けられた増幅器からなる増幅器群１１２−４１において増幅されて、出力部１１６に出力されるような構成としてもよい。ただし、図９の中央部においては、図中の上段および下段のそれぞれの灰色の３個の電極については、スイッチによりオンまたはオフに制御されるが、中段の黒色の３個の電極については、スイッチがなく常時出力する状態とされている。
【００６２】
また、図９の下部で示されるように、アレイ状に構成された３行×２列の電極からなる電極群１１１−５１のうち黒色の左下の電極、左上の電極、および、右上の電極の合計３個の電極がそれぞれ３個の増幅器からなる増幅器群１１２−５１のそれぞれに接続される構成としてもよい。尚、図９の下部においては、電極群１１１−５１を構成する電極には、図中において「ｍ」と表記されていたローカルメモリをそれぞれ備えた構成とされている。
【００６３】
尚、本開示は、以下のような構成も取ることができる。
＜１＞  液体に基準電位を供給する基準電位発生部および基準電位電極と、
前記液体から信号を読み出す読出電極および増幅器と、
前記増幅器の前段において、前記増幅器を負電荷より保護する保護部を含み、
前記基準電位発生部および前記基準電位電極、前記読出電極および前記増幅器、並びに、前記保護部は、同一基板に内蔵される
半導体装置。
＜２＞  前記保護部は、前記読出電極および前記基準電位電極を形成する電極形成プロセス時において、前記読出電極および前記基準電位電極に接続される配線を介して、前記増幅器に対して発生する負電荷をバイパスすることにより、前記増幅器を保護する
＜１＞に記載の半導体装置。
＜３＞  前記増幅器は、増幅トランジスタであり、
前記読出電極は、前記増幅トランジスタのゲートに接続されており、
前記保護部は、前記読出電極と前記増幅トランジスタとを接続する配線上であって、前記ゲートの前段にカソードを接続し、アノードを接地する保護ダイオードである
＜２＞に記載の半導体装置。
＜４＞  前記保護ダイオードのカソードに、アノードを接続し、カソードを所定の電源に接続する、前記保護ダイオードと同一のＩＶ（電流電圧）特性が同一の追加ダイオードからなる追加保護部をさらに含む
＜３＞に記載の半導体装置。
＜５＞  前記所定の電源の電圧は、前記基準電位よりも高電圧である
＜４＞に記載の半導体装置。
＜６＞  前記所定の電源は、前記増幅トランジスタの電源である
＜５＞に記載の半導体装置。
＜７＞  前記基準電位発生部の前段において、前記増幅器を負電荷より保護するその他の保護部をさらに含む
＜３＞乃至＜６＞のいずれかに記載の半導体装置。
＜８＞  前記その他の保護部は、前記読出電極および前記基準電位電極を形成する電極形成プロセス時において、前記基準電位電極および前記基準電位発生部に接続される配線を介して、前記基準電位発生部に対して発生する負電荷をバイパスすることにより、前記基準電位発生部を保護する
＜７＞に記載の半導体装置。
＜９＞  前記その他の保護部は、前記基準電位電極と前記基準電位発生部とを接続する配線上であって、前記基準電位発生部の前段にカソードを接続し、アノードを接地するその他の保護ダイオードである
＜８＞に記載の半導体装置。
＜１０＞  前記ダイオードのカソードに、アノードを接続し、カソードを所定の電源に接続する、前記その他の保護ダイオードと同一のＩＶ（電流電圧）特性が同一のその他の追加ダイオードからなるその他の追加保護部をさらに含む
＜９＞に記載の半導体装置。
＜１１＞  前記所定の電源の電圧は、前記基準電位よりも高電圧である
＜１０＞に記載の半導体装置。
＜１２＞  前記所定の電源は、前記増幅トランジスタの電源である
＜１１＞に記載の半導体装置。
＜１３＞  液体に基準電位を供給する基準電位発生部および基準電位電極と、
前記液体から信号を読み出す読出電極および増幅器と、
前記増幅器の前段において、前記増幅器を負電荷より保護する保護部を含み、
前記基準電位発生部および前記基準電位電極、前記読出電極および前記増幅器、並びに、前記保護部は、同一基板に内蔵される
電位測定装置。
【符号の説明】
【００６４】
１０１  電位測定装置，  １１１，１１１−１乃至１１１−５，１１１−１１  電極，  １１２，１１２−１乃至１１２−４  増幅器，  １１３−１乃至１１３−４  スイッチ，  １１４，１１４−１乃至１１４−３  垂直転送線，  １１５  転送制御部，  １１６  出力部，  １１７，１１７−１乃至１１７−４  端子，  １１８  端子，  １１９  基準電位発生部，  １３１  液体，  １５１，１５１−１，１５１−１１  メッキ部，  １５２，１５２−１，１５２−１１  金属部，  １７１，１７１−１，１７１−２  ダイオード，  １９１，１９１−１，１９１−２  ダイオード，  ２３１，２３１−１，２３１−２  ダイオード，  ２５１，２５１−１，２５１−２  ダイオード
【図１】
2018101075.tif 000003
【図２】
2018101075.tif 000004
【図３】
2018101075.tif 000005
【図４】
2018101075.tif 000006
【図５】
2018101075.tif 000007
【図６】
2018101075.tif 000008
【図７】
2018101075.tif 000009
【図８】
2018101075.tif 000010
【図９】
2018101075.tif 000011
【国際調査報告】
2018101075.tif 000012
2018101075.tif 000013
2018101075.tif 000014
2018101075.tif 000015